(57)【特許請求の範囲】
【請求項１】
プログラマブルな電気回路を有するインタラクティブストーリーテラーシステムであって、前記電気回路は：
ユーザが、本に関するデータを選択して、システムが当該選択したデータを受け取るステップであり、該データは複数の関連性を有し、該複数の関連性の各々は前記本の１つ又はそれ以上の下線が付けられた単語と出力信号との間にあるものである、ステップ；
前記ユーザにより大きな声で読み上げられ発話された１つ又はそれ以上の単語を検出するステップ；
前記複数の関連性の中で、前記発話された１つ又はそれ以上の単語に対応する前記本の１つ又はそれ以上の下線が付けられた単語を有する関連性を調べるステップ；及び
前記発話された１つ又はそれ以上の単語に関連する前記出力信号を再生するステップ；
を実行するように動作し、
前記インタラクティブストーリーテラーシステムは、可搬型投影器であって、該可搬型投影器がアクティブ状態にあるとき、前記発話された１つ又はそれ以上の単語に関連する画像の一部を投影する、可搬型投影器を有し、かつ、
前記インタラクティブストーリーテラーシステムは、前記可搬型投影器の動きを検出する手段を有し、前記可搬型投影器は、前記動きの検出時に、当該動きに対応して、前記画像の異なる部分を投影する、
インタラクティブストーリーテラーシステム。
【請求項２】
請求項１に記載のインタラクティブストーリーテラーシステムであって、前記出力信号は音声信号及び／又は光信号を有する、インタラクティブストーリーテラーシステム。
【請求項３】
請求項２に記載のインタラクティブストーリーテラーシステムであって、前記光信号は紫外光を有する、インタラクティブストーリーテラーシステム。
【請求項４】
請求項１に記載のインタラクティブストーリーテラーシステムであって、当該インタラクティブストーリーテラーシステムは、マイクロフォン入力信号を受信するマイクロフォンを有し、前記電気回路は、前記マイクロフォン入力信号に音声効果を適用し、前記出力信号を生成するように備えられている、インタラクティブストーリーテラーシステム。
【請求項５】
プログラマブル装置のメモリーに保管されたコンピュータプログラムコードが、前記プログラマブル装置のプロセッサによって前記メモリーから読み出されて実行されるとき、請求項１に記載のインタラクティブストーリーテラーシステムが機能するように適合された該コンピュータプログラムコードを含むコンピュータプログラム。
【発明の詳細な説明】
【技術分野】
【０００１】
本発明は、電子回路を有する、インタラクティブストーリーテラーシステムに関する。
【０００２】
本発明は、プログラマブル装置がインタラクティブストーリーテラーシステムとして機能することを可能にするコンピュータプログラムに更に関する。
【背景技術】
【０００３】
インタラクティブストーリーテラーシステムは、コンピュータゲームによって知られている。それらのコンピュータゲームにおいては、ストーリーはコンピュータにより話され、ユーザは、制御器によりそのストーリーを介してそのユーザのパスを選択することが可能である。それらのコンピュータゲームの短所は、それらのゲームが、しばしば、幼い子供には適切でないことである。
【発明の概要】
【発明が解決しようとする課題】
【０００４】
本発明の目的は、インタラクティブストーリー要素を提供することができる一方、幼い子供に適切であるインタラクティブストーリーテラーシステムを提供することである。
【課題を解決するための手段】
【０００５】
本発明に従って、その目的は、ユーザが、本に関連するデータであって、複数の関連性を有し、それら複数の関連性の各々が１つ又はそれ以上の単語と出力信号との間にある、データ、を選択し、１つ又はそれ以上の発話された単語を検出し、複数の関連性においてそれらの１つ又はそれ以上の発話された単語を有する関連性を調べ、そしてそれらの１つ又はそれ以上の発話された単語に関連する出力信号を再生する、ことを可能にする電気回路を有するシステムを備えることにより、実現され、そのシステムは可搬型投影器であって、その可搬型投影器がアクティブ状態であるとき、１つ又はそれ以上の発話された単語に関連する画像の少なくとも一部を投影する、可搬型投影器を更に有する。ストーリーテリングプロセスを完全に自動化することに代えて、本発明のシステムは、ユーザ、例えば、父親又は母親自身が、ストーリーを読むことを可能にするが、ユーザが大声でそのストーリーを読むことを出力信号により支援する。ユーザは、システムの近くにオブジェクト、例えば、本を保持するシステムに取り外し可能な媒体を挿入することにより、又は本のリストから本を選択するようにユーザインタフェースを用いることにより、本に関連するデータを選択することが可能である。出力信号に関連する本の１つ又はそれ以上の単語は、その本において下線が付けられることが可能であり、それ故、ユーザは、そのストーリーからどれ位外れているかを知ることができる。インタラクティブストーリーテラーシステムは、可搬型投影器であって、その可搬型投影器がアクティブな状態にあるとき、１つ又はそれ以上の発話された単語に関連する画像の少なくとも一部を投影することができる、可搬型投影器を有することが可能である。例えば、表現“わにが目をさました”が発話された後、トーチが点灯され、即ち、可搬型投影器は、壁にわにを又はわにの一部を示す。
【０００６】
本発明のシステムの実施形態においては、出力信号は、音声信号及び／又は光信号を有する。音声信号は、恐ろしい音声又は恐ろしい音楽であることが可能である。光信号は、例えば、ろうそくの光又は雷雨の光を再生することが可能である。
【０００７】
光信号は、紫外線を有することが可能である。この紫外線は、隠されている本のメッセージを可視化するように用いられることが可能である。
【０００８】
インタラクティブストーリーテラーシステムは、可搬型投影器の動きを検出する手段を有することが可能であり、その可搬型投影器は、その動きの検出時に、画像の異なる部分を投影することが可能である。例えば、わにの一部のみが、ある時間に示され、トーチが点灯され、即ち、可搬型投影器は、壁の異なる複数の部分に、わに全体を示すことが可能である。
【０００９】
出力信号は、マイクロフォンの入力信号に適用される音声効果を有することが可能である。例えば、表現“彼等は洞窟に入った”と発話された後、マイクロフォンを用いて、エコー効果を得ることができる。
【００１０】
本発明の上記の及び他の特徴については、例示として、図を参照して更に明らかになり、理解することができる。
【図面の簡単な説明】
【００１１】
【図１】本発明の方法のフロー図である。
【図２】本発明のインタラクティブストーリーテラーシステムの実施形態を示す図である。
【図３】図２のインタラクティブストーリーテラーシステムで用いられる可搬型投影器を示す図である。
【図４】本発明のインタラクティブストーリーテラーシステムのブロック図である。
【発明を実施するための形態】
【００１２】
図１を参照するに、本発明の方法は４つのステップを有する。ステップ１は、ユーザが本に関連するデータを選択することを可能にし、そのデータは、複数の関連性であって、それら複数の関連性の各々は、本の１つ又はそれ以上の単語と出力信号との間にある、複数の関連性を有する。ステップ３は、１つ又はそれ以上の単語を検出する。ステップ５は、それらの複数の関連性における１つ又はそれ以上の発話された単語を有する関連性を調べる。ステップ７は、１つ又はそれ以上の発話された単語に関連する出力信号を再生する。共通発話認識技術が、ステップ３で用いられることが可能である。共通記憶技術が、ステップ５で用いられることが可能である。
【００１３】
図２は、インタラクティブストーリーテラーシステム１１の実施形態を示している。この実施形態においては、システム１１は、ランプを有する円錐状装置である。本１３を読んでいる人間は、円錐状装置の近くに好適に腰掛けている。そのシステム１１は、トーチ１５、即ち、携帯型投影器を有し、その投影器は、壁に画像１７を投影する。それについては、図３を参照されたい。
【００１４】
図４のインタラクティブストーリーテラーシステム３１は、ユーザが、本に関連するデータであって、複数の関連性を有し、それらの複数の関連性の各々は本の１つ又はそれ以上の単語と出力信号との間にある、データを選択し、１つ又はそれ以上の発話された単語を検出し、複数の関連性において１つ又はそれ以上の発話された単語を有する関連性を調べ、そして１つ又はそれ以上の発話された単語に関連する出力信号を再生することを可能にするように動作可能である電気回路３３を有する。
【００１５】
システム１１は、音声信号を受信するマイクロフォン４１を有する。音声信号は、電気回路３３に渡され、その電気回路は、発話された単語を検出する、即ち、認識するように共通技術を用いて、それらの単語を解析する。電気回路３３は、汎用プロセッサ及びアプリケーション専用プロセッサを有することが可能である。システム１１は、再生手段３５、例えば、スピーカを有することが可能である。電気回路３３は、音声出力信号を再生する再生手段３５を用いることが可能である。システムは、記憶手段３７、例えば、ハードディスク、又はフラッシュメモリのような固体メモリを有することが可能である。記憶手段３７は、１冊又はそれ以上の本についてのデータを記憶するように用いられることが可能である。代替として、無線トランシーバが、付加ソースからのデータを受信するように用いられることが可能である。システム１１は、光出力信号を生成するランプを有する。
【００１６】
本発明については、好適な実施形態と関連付けて記載されているが、上記の概観した原理の範囲内で本発明の修正が可能であることが明らかであり、それ故、本発明は、それらの実施形態に限定されるものではなく、そのような修正を包含することを意図されていることを当業者は理解することができるであろう。本発明は、各々の及び全ての新規な特徴並びに各々の及び全ての複数の特徴の組み合わせを有する。用語“を有する”及びその派生表現を用いることは、請求項に記載されている要素以外の要素の存在を排除するものではない。要素の単数表現は、その要素の複数の存在を排除するものではない。
【００１７】
‘手段’は、当業者に明らかであるように、動作中に実行される、又は特定の機能を実行する、単独で又は他の機能と関連付けられる、分離して又は他の要素と協働するようにデザインされている何れかのハードウェア（別個の又は一体化された回路又は電気的要素）又はソフトウェアを有するものを意味する。本発明は、複数の別個の要素を有するハードウェアにより、そして適切にプログラムされたコンピュータにより実行されることが可能である。複数の手段を列挙している装置請求項においては、それらの手段の幾つかは、同一のハードウェアにより実施されることが可能である。‘コンピュータプログラム’は、インターネットのようなネットワークを介してダウンロード可能である、又は何れかの他の方法で市場性があるフロッピー（登録商標）ディスクのようなコンピュータ読み取り可能媒体に記憶されている何れかのソフトウェアを意味するとして理解することができる。
【図１】
0005698457.tif 000002
【図２】
0005698457.tif 000003
【図３】
0005698457.tif 000004
【図４】
0005698457.tif 000005